(57)【要約】【課題】従来の有機ＥＬディスプレイ素子では、引出し電極用のスペースや駆動回路が基板に配置されるので、ディスプレイ表示部として額縁部が広くなっていた。このため、ディスプレイのコンパクト化、省スペース化の障害となっていた。本発明は、このような問題を解決するために、額縁部を狭くすることを目的とする。【解決手段】本発明は、透明な陽極を備えた透明基板上に有機ＥＬ層を配置し、該有機ＥＬ層上に陰極を配置して前記陽極と前記陰極とで前記有機ＥＬ層を挟んでなる有機ＥＬディスプレイ素子であって、前記陰極が配置された面が前記陽極及び前記陰極と接続するための配線を施したフィルムで封止する有機ＥＬディスプレイ素子である。本発明により、有機ＥＬディスプレイ素子の額縁部を狭くすることができる。【選択図】  図１
2004152500.tif 000002
【特許請求の範囲】
【請求項１】
透明な陽極を備えた透明基板上に有機エレクトロルミネセンス層を配置し、該有機エレクトロルミネセンス層上に陰極を配置して前記陽極と前記陰極とで前記有機エレクトロルミネセンス層を挟んでなる有機エレクトロルミネセンスディスプレイ素子であって、前記陰極が配置された面が前記陽極及び前記陰極と接続するための配線を施したフィルムで封止されている有機エレクトロルミネセンスディスプレイ素子。
【請求項２】
前記有機エレクトロルミネセンス層に電圧を印加するための電子回路と、前記フィルムに施された前記配線とを接続し、前記配線と前記陽極及び前記陰極とを接続し、前記配線が施された前記フィルムを前記透明基板の背面にて湾曲させたことを特徴とする請求項１記載の有機エレクトロルミネセンスディスプレイ素子。
【請求項３】
前記電子回路が前記フィルム上に搭載されていることを特徴とする請求項１又は２に記載の有機エレクトロルミネセンスディスプレイ素子。
【発明の詳細な説明】
【０００１】
【発明の属する技術分野】
本発明は、有機エレクトロルミンセンス（以後、「エレクトロルミネセンス」を「ＥＬ」と略記する。）ディスプレイ素子に係り、特に、有機ＥＬディスプレイ素子の表示部を最大限に確保するための有機ＥＬディスプレイ素子の構造に関する。
【０００２】
【従来の技術】
有機ＥＬディスプレイ素子は、ガラス基板上に透明電極（陽極）を形成し、陰極である電子注入電極と陽極であるホール注入電極の間に１層又は複数層の有機化合物層（有機ＥＬ層）を挟装する構造となっている。
【０００３】
従来の有機ＥＬディスプレイ素子は、上記陽極及び陰極からの引出し電極端子を基板の上面周縁（いわゆる額縁部）に配置しているため、有機ＥＬディスプレイ素子の表示部に対していわゆる額縁部が広くならざるを得なかった。
従来の有機ＥＬディスプレイ素子の断面構造を図６に示す。図６において、８１は封止キャップ、８２は基板、８３は取出し配線、８４は駆動回路である。基板８２は、例えばガラスからなる透明基板に有機ＥＬ層を備えて構成されている。この基板８２の左右には取出し配線８３が取付けられており、この取出し配線８３と駆動回路８４とが接続されている。この接続された駆動回路８４からの駆動電圧が印加され、内部の有機ＥＬ層を挟んだ陽極と陰極との間の電界により、発光がなされるものである。図６における基板８２の上面には、封止キャップ８１が配置されている。この封止キャップ８１は有機ＥＬディスプレイ素子が水分に弱いことから保護部材として配置させるものである。
【０００４】
図６に示すように、基板８２の周辺部に電極端子を配置し、ディスプレイの取出し配線８３を当該電極端子に取付け、駆動回路８４を接続していた。図６に示すＹ部分は基板８２における電極端子用のスペースであり、さらに駆動回路８４が取出し配線８３の左右方向に張り出すように配置されている。
【０００５】
従来技術（例えば、特許文献１参照。）として、フラットディスプレイパネルの後縁に接続電極を設け、フレキシブルプリント配線板の湾曲量を軽減するために、接続ケーブルを湾曲させて駆動ボードと接続する技術があり、これによって装置の小型化が図れることになるが、この従来技術は、いわゆる額縁部を狭くすることを目的とするものではない。
【０００６】
【特許文献１】
特開平６−２３０７２８号公報
【０００７】
【発明が解決しようとする課題】
例えば、図６に示すＹ部分は基板８２における引出し電極用のスペースであり、さらに駆動回路８４が基板８２に張り出すように配置されるので、この従来の技術では、ディスプレイ表示部として図６におけるＸ部分しか表示部として用いることができない。また、図６における左右部分に駆動回路８４があるため、ディスプレイ表示部以外に余計な面積がさらに必要となり、ディスプレイのコンパクト化、省スペース化の障害となっていた。
なお、特許文献１に記載された技術は、フレキシブルプリント配線板を用いた技術にて接続ケーブルを湾曲させることを特徴とするものであって、本発明とは解決しようとする課題が異なる。
【０００８】
【課題を解決するための手段】
本発明に係る有機ＥＬディスプレイ素子は、透明な陽極を備えた透明基板上に有機ＥＬ層を配置し、該有機ＥＬ層上に陰極を配置して前記陽極と前記陰極とで前記有機ＥＬ層を挟んでなる有機ＥＬディスプレイ素子であって、前記陰極が配置された面が前記陽極及び前記陰極と接続するための配線を施したフィルムで封止されている。
【０００９】
また、前記有機ＥＬ層に電圧を印加するための電子回路と、前記フィルムに施された前記配線とを接続し、前記配線と前記陽極及び前記陰極とを接続し、前記配線が施された前記フィルムを前記透明基板の背面にて湾曲させたことを特徴とする
【００１０】
さらに、電子回路が前記フィルム上に搭載されていることを特徴とする。
【００１１】
【発明の実施の形態】
本発明に係る有機ＥＬディスプレイ素子の実施形態を、図面を参照しつつ説明する。図１は、本発明の一実施形態に係る有機ＥＬディスプレイ素子の構造を示す図である。１は有機ＥＬディスプレイ素子、１０は封止キャップ、１２は透明基板、１４は電子回路としての駆動回路である。封止キャップ１０の材料としては、プラスチック、エポキシ樹脂、フッ素樹脂、シリコーン等が適用できる。透明基板１２としては、ガラス基板、フレキシブル基板、カラーフィルタや色変換膜あるいは誘電体反射膜が形成された基板を含む。カラーフィルタはその特性を調整し、効率や色純度を最適化できる。色変換膜は、ＥＬ発光の光を吸収し、蛍光変換膜の蛍光体から光を放出させることで、発光色の色変換を行わせる。誘電体多層膜はカラーフィルタの代わりに、所定の波長の光を透過させる。電子回路としての駆動回路１４には、有機ＥＬ素子を駆動するドライバ、ドライバを制御するコントローラ、抵抗等の周辺素子を含む。ドライバは、データ電極を駆動する走査電極駆動機能やデータ電極を駆動するデータ電極駆動機能を有する。コントローラはディスプレイに表示するデータを格納する記憶機能やドライバを制御する制御機能を有する。
【００１２】
本発明の一実施形態に係る有機ＥＬディスプレイ素子１は、例えばガラス又はプラスチックなどの透明な材質からなる基板１２を、例えばプラスチック等、変形が容易な材質よりなる封止キャップ１０で封止する。封止キャップ１０には有機ＥＬディスプレイ素子の陽極及び陰極と接続する配線が施されているため、封止キャップに搭載された駆動回路１４が有機ＥＬディスプレイ素子の陽極及び陰極と接続される。図１では、有機ＥＬディスプレイ素子１の背面（図面上部）にて湾曲され、湾曲された先の位置に駆動回路１４が接続され配置される構成となっている。封止キャップがフィルムであることを利用して折り曲げることによって、有機ＥＬディスプレイ素子の実装スペースを削減することができた。図１では、封止キャップ１０を湾曲させているが、直角に折り曲げることによって、一層のスペース削減効果が得られる。また、封止キャップ１０に電子回路との接続用配線を施すことによって、取出し配線を兼ねることができるため、電極端子用のスペースが不要になり、いわゆる額縁部を少なくすることができた。
【００１３】
駆動回路１４は、例えば、有機ＥＬディスプレイ素子を用いた機器内で別の位置にあってもよいが、封止キャップ上に搭載されることが好ましい。電子回路を額縁部ではなく、取出し配線を兼ねた封止キャップに搭載することによって、いわゆる額縁部を少なくすることができた。
【００１４】
図２は、本発明の一実施形態に係る有機ＥＬディスプレイ素子の封止キャップを折り曲げる前の状態を示す図である。図２において、１は有機ＥＬディスプレイ素子、１０は封止キャップ、１２は透明基板、２０は接続部である。
【００１５】
図２において、封止キャップ１０と基板１２とが接続部２０により貼り合わされている。ここで、封止キャップの幅は、基板１２よりも広いものであることが好ましい。図２から分かるように、封止キャップ１０は変形が可能な材料であるため、ある程度折り曲げることができる。そこで、この状態で、封止キャップ１０上の配線に駆動回路１４を実装し、基板裏側に折り曲げる。この状態が図１に示されていることは上述したとおりである。
【００１６】
封止キャップ１０と基板１２との貼り合わせ方法を図３に示す。図３において、１０は封止キャップ、１２は基板、３０は導電性ペースト、４０は封止キャップ側配線取出しパターン、５０は基板側配線である。図３は、図２におけるＡ−Ａ’断面図である。具体的には図２における接続部２０をＡ−Ａ’断面図として拡大して示した図であり、これにより、封止キャップ１０と基板１２とが貼り合わさっている状態がわかる。
【００１７】
封止キャップ１０側に設けられた封止キャップ側配線取出しパターン４０と、基板１２側に設けられた基板側配線５０との位置を正確に合わせ、導電性ペースト３０によって貼り合わせる。貼り合わせには導電性ペーストとして、導電性粒子を含んだＵＶ樹脂を用いることができる。これにより、フィルム基板と封止キャップフィルム上の配線同士の導通がとれるようになる。導電粒子とは、中心の芯材に導電性の金属をコーティングしたものである。中心の心材に樹脂ビーズ、シリカビーズ、ガラスビーズ、ＰＶＡ（ポリビニールアルコール）ビーズが挙げられる。特に、ＰＶＡビーズが好ましい。形状は、粒径の揃った球体が望ましい。金属のコーティングとしては、中心の心材をＮｉで被い、外殻をＡｕでコーティングしたものが好ましい。導電粒子は、予めペーストに混入しておいてもよいし、接着時に混入してもよい。
【００１８】
次に、本発明の一実施形態に係る有機ＥＬディスプレイ素子の封止キャップの配線を図４に示す。図４において、１０は封止キャップ、４０は封止キャップ側配線取出しパターンである。
【００１９】
例えばプラスチックフィルムによりなる封止キャップ１０に、例えばＩＴＯよりなる配線取出しパターン４０を形成する。プラスチックフィルムにあらかじめＩＴＯが成膜されているものを用いて、フォトリソグラフィーにより生成することにより実現できる。この封止キャップ側配線取出しパターン４０は、上記したＩＴＯの他、低仕事関数の物質、例えば、Ｍｇ、Ａｇ、Ａｌ等の金属元素単体又はそれらの合金を用いることができる。
【００２０】
本発明の実施形態に係る有機ＥＬディスプレイ素子の基板を図５に示す。図５において、１２は基板、５０は基板側配線、５２は画素である。図５において、例えばプラスチックフィルムより成る基板１２には、図面左右方向に基板側配線５０が形成されている。基板側配線には、一般的には透明電極であるＩＴＯが用いられるが、その他ＺｎＯ、ＧａＮなどを用いることができる。これらの配線毎に画素５２が設けられている。
【００２１】
本実施形態では、配線を施したフィルムを用いて有機ＥＬディスプレイ素子を封止すると共に、有機ＥＬディスプレイ素子とそれを駆動する電子回路等を接続したため、基板のディスプレイ表示部分の周囲に設けられていた配線取出し部分（いわゆる額縁部）を無くすることができた。額縁部の削除はディスプレイの大幅なコンパクト化につながり、携帯電話機、ＰＤＡ（Ｐｅｒｓｏｎａｌ  Ｄｉｇｉｔａｌ  Ａｓｓｉｓｔａｎｔ）等情報端末の小型化を可能にする。また、同じディスプレイ搭載スペースならば、従来の構成より表示部分を大きくとることができるため大画面化につながる。
【００２２】
【発明の効果】
以上説明したように、本発明によれば、ディスプレイ表示部の周囲にいわゆる額縁部を設ける必要がなくなる。
【図面の簡単な説明】
【図１】本発明の一実施形態に係る有機ＥＬディスプレイ素子の構造を示す図である。
【図２】本発明の一実施形態に係る有機ＥＬディスプレイ素子の封止キャップを折り曲げる前の状態を示す図である。
【図３】図２におけるＡ−Ａ’断面図である。
【図４】本発明の一実施形態に係る有機ＥＬディスプレイ素子の封止キャップを示す図である。
【図５】本発明の一実施形態に係る有機ＥＬディスプレイ素子の基板である。
【図６】従来の有機ＥＬディスプレイ素子の断面構造を説明する図である。
【符号の説明】
１：有機ＥＬディスプレイ素子
１０：封止キャップ
１２：基板
１４：駆動回路
２０：接続部
３０：導電性ペースト
４０：封止キャップ側配線取出しパターン
５０：基板側配線
５２：画素
【図１】
2004152500.tif 000003
【図２】
2004152500.tif 000004
【図３】
2004152500.tif 000005
【図４】
2004152500.tif 000006
【図５】
2004152500.tif 000007
【図６】
2004152500.tif 000008